(57)【要約】【課題】形状保持機能が必要なブラジャーなどにおいて、製造コストを低減できる上に、良好な装着感が得られるようにする。【解決手段】熱融着糸２３を一部に含むシート状の交編織物２４からなる線状または面状の芯材２１の全体が、編織物からなる被覆地２２で被覆され、前記芯材２１に、前記熱融着糸２３の融点以上で、かつ前記被覆地２２および前記交編織物２４の熱融着糸２３以外の部分の融点より低い温度による加熱と加圧によって保持形状が付与されるとともに、前記芯材２１と前記被覆地２２の一部が接合部２６で接合された形状保持編織物１１，１２。【選択図】図６
2014169515.tif 000002
【特許請求の範囲】
【請求項１】
熱融着糸を一部に含むシート状の交編織物からなる芯材の全体が、編織物からなる被覆地で被覆され、
前記芯材に、前記熱融着糸の融点以上で、かつ前記被覆地および前記交編織物の熱融着糸以外の部分の融点より低い温度による加熱と加圧によって保持形状が付与されるとともに、
前記芯材と前記被覆地の一部が接合された
形状保持編織物。
【請求項２】
前記芯材に対する前記被覆地の被覆状態が、縫着又は接着で保持された
請求項１に記載の形状保持編織物。
【請求項３】
前記芯材が巻かれて又は折り重ねられて線状に形成されたものである
請求項１または請求項２に記載の形状保持編織物。
【請求項４】
前記芯材がシート状のまま前記被覆地で被覆されたものである
請求項１または請求項２に記載の形状保持編織物。
【発明の詳細な説明】
【技術分野】
【０００１】
この発明は、例えばブラジャーなどのような衣類等の一部に装着されて、装着した部分の形状を保持する形状保持編織物に関する。
【背景技術】
【０００２】
ブラジャー等の形状保持には金属製ワイヤが用いられてきたが、装着感などの問題から合成樹脂製ワイヤが用いられるようになってきている。合成樹脂製ワイヤであれば金属製ワイヤを用いた場合のような問題は軽減できるが、不測に折れたりするおそれがある。そのため、柔軟かつしなやかなワイヤとして、下記特許文献１に開示されたようなワイヤが提案されている。
【０００３】
このワイヤは、芯材となる組紐の外部に鞘体となる組紐を被せて、熱成形して構成されたものである。鞘体のみ、または芯材と鞘体が熱融着性繊維糸で構成されているので、樹脂化した外被が形成され、組紐の柔軟性によって全体としてしなやかなワイヤになるというものである。
【０００４】
しかしながら、組紐を製造するのにはコストがかかるため、ワイヤが高価になってしまう。
【０００５】
またワイヤは、従来の金属製ワイヤや合成樹脂製ワイヤの、あくまでも代用であるため、それらと同じように、ワイヤを覆う袋状の収納部分に収納して取り付け対象に装着される。収納部分の中でワイヤは、相対変位しながら外力に応じて変形するので、合成樹脂製ワイヤと比較してしなやかであっても、ねじれなどによってワイヤと収納部分との間にわずかでもずれが生じると、歪が生まれる。歪ができると、合成樹脂製ワイヤを用いた場合と同様に、ワイヤや取り付け対象の一部が人体の一部を不当に圧迫したりするおそれがある。
【０００６】
ワイヤと取り付け対象との一体性を得るべくワイヤを取り付け対象に対して直接縫い付けようとしても、ワイヤは樹脂化した外被を有するので、縫い付けはできない。
【０００７】
そのほか、特許文献１のワイヤは、組紐からなるうえに樹脂化した外被を有するので、通気性はほとんどない。
【先行技術文献】
【特許文献】
【０００８】
【特許文献１】特開２００３−３０１３５５号公報
【発明の概要】
【発明が解決しようとする課題】
【０００９】
そこで、この発明は、コストを低減できる上に、良好な装着感が得られるようにすることを主な目的とする。
【課題を解決するための手段】
【００１０】
そのための手段は、熱融着糸を一部に含むシート状の交編織物からなる芯材の全体が、編織物からなる被覆地で被覆され、前記芯材に、前記熱融着糸の融点以上で、かつ前記被覆地および前記交編織物の熱融着糸以外の部分の融点より低い温度による加熱と加圧によって保持形状が付与されるとともに、前記芯材と前記被覆地の一部が接合された形状保持編織物である。
【００１１】
前記熱融着糸とは、熱融着繊維を含む意味である。
【００１２】
前記交編織物とは、異なった種類の糸を組み合わせてなる織物や編物、または交撚糸を使った織物や編み物である。熱融着糸は、交編織物の組織を構成する糸自体であるほか、それに巻き付けてられたりして添付されているものでもよい。
【００１３】
前記芯材が線状であれば線状に、芯材がシート状であれば面状の形状保持編織物となる。
【００１４】
この構成では、芯材が加熱と加圧によって所望の保持形状を有し、被覆地が芯材と一体になって芯材を被覆する。芯材を構成する交編織物は、全部ではなく一部に熱融着糸を有するので、芯材は、全体が樹脂化せずに所望の保持形状を有し、変位すれば弾性復帰する状態である。この芯材は、熱融着糸を有する部分やその近傍において一部一体になった被覆地で被覆されているので、被覆地が芯材の形状保持能力を補強する。
【００１５】
被覆地は、芯材に形状を付与する加熱で溶融しないので、編織物の状態のままであるうえに、芯材は一部が溶融するものの全体が樹脂化するわけではないので、縫い付けが可能である。
【発明の効果】
【００１６】
この発明によれば、シート状の編織物で構成できるので、組紐から構成する場合と比較してコストを低減することができる。
【００１７】
取り付け対象に対する装着は、形状保持編織物を直接縫い付けて行うことかできるので、形状保持編織物と取り付け対象との一体性を得られる。一体性が得られると、形状保持編織物がねじれたりしても、形状保持編織物や取り付け対象に歪が生じて人体の一部を不当に圧迫したりするおそれはない。全体が樹脂化していないので通気性もよい。したがって、装着感は良好である。
【００１８】
外側に位置する被覆地は加熱しても溶融しないので、肌に直接触れる部分に対して、そのまま装着できる。部品点数の低減や工数の低減が可能である。
【００１９】
以上のようにコストの低減や装着感の向上が実現できるうえに、面状の形状保持も可能である。このため、衣類等における、機能性向上や、美しいシルエットの実現等に多大な貢献をする。
【図面の簡単な説明】
【００２０】
【図１】線状をなす形状保持編織物の構造を示す斜視図。
【図２】面状をなす形状保持編織物の構造を示す斜視図。
【図３】形状保持編織物を使用したブラジャーの装着状態の斜視図。
【図４】線状をなす形状保持編織物を構成する芯材と被覆地の斜視図。
【図５】面状をなす形状保持編織物を構成する芯材と被覆地の斜視図。
【図６】形状保持編織物の内部構造の一部を示す模式図。
【発明を実施するための形態】
【００２１】
この発明を実施するための一形態を、以下図面を用いて説明する。  
図１と図２は、形状保持編織物１１，１２の斜視図であり、図３はそれぞれの形状保持編織物を用いた、衣類の一例としてのブラジャー１３の装着状態を示す斜視図である。
【００２２】
図１に示した形状保持編織物１１は細長い線状に形成されている。具体的には、形状保持編織物１１は人体の左右のバストの一方のバージスラインの形状に沿って湾曲した保持形状であり、従来のワイヤが装入されるカップ保持部１３ａに装着される。図１では右方のバストのバージスラインに対応する形状保持編織物１１を示している。前記保持形状は、縦横高さの各方向性を有する三次元立体形状である。
【００２３】
図２に示した形状保持編織物１２は面状に形成されており、ブラジャー１３のバージスラインより下で脇側に位置する脇布１３ｂを構成するものである。この形状保持編織物１２も、人体における対応部分の表面形状に対応するように湾曲した保持形状である。
【００２４】
いずれの形状保持編織物１１，１２も、芯材２１と、この芯材２１の全体を被覆する被覆地２２とからなる。線状の形状保持編織物１１は、芯材２１が線状をなし、全周が被覆地２２で被覆されている。面状の形状保持編織物１２は、芯材２１が面状をなし、表裏両面が被覆地２２で被覆されている。
【００２５】
前記芯材２１は、図４（ａ）、図５（ａ）に一部を拡大して示すように、熱融着糸または熱融着繊維（以下、「熱融着糸２３」という）を一部に含むシート状の交編織物２４からなる。交編織物２４は、交編織物２４を構成する糸の全部ではなく、一部に前記熱融着糸２３を備えている。
【００２６】
交編織物２４は織物でも編物でもよい。熱融着糸２３には、高融点の芯と低融点の鞘とからなる芯鞘構造のものを好適に使用できる。このほか、熱溶着糸２３は、糸全体が熱融着性のものであっても、織物や編物を構成する糸にカバーリングなどして添付したものであってもよい。
【００２７】
図４（ａ）、図５（ａ）に示した例では、経糸２４ａと緯糸２４ｂからなる交編織物２４の経糸２４ａを熱融着糸で構成している。緯糸２４ｂは、経糸２４ａを構成する熱融着糸２３の融点よりも高い融点を有する合成繊維で構成される。
【００２８】
前記のようにすべての経糸２４ａを熱融着糸２３とするのではなく、熱融着糸２３は、１本おきなど、間をあけて配設してもよい。経糸２４ａではなく緯糸２４ｂに熱融着糸２３を備えることも、経糸２４ａと緯糸２４ｂの双方に熱融着糸２３を備えることもできる。
【００２９】
このような交編織物２４を線状の芯材２１とするには、交編織物を図４（ａ）に示したように、適宜幅のテープ状に裁断し、これを図４（ｂ）に示したように複数に重なるように長手方向に沿って折り重ねてさらに細い線状にする。折り重ねるのではなく丸めてもよい。重なり数や幅（太さ）は、熱融着糸の配置や割合等を考慮しつつ、所望する硬度等に応じて適宜設定される。交編織物２４は折ったり丸めたりせず一重の状態で使用することもできる。
【００３０】
この芯材２１は、図４（ｃ）に示したように、適宜の編織物からなる被覆地２２で全周を被覆される。被覆地２２は、例えば合成繊維製で、この合成繊維には熱融着糸の融点よりも高い融点を有するものを使用する。換言すれば、被覆地２２には熱融着糸２３を使用しない。
【００３１】
芯材２１に対する被覆地２２の被覆状態は、接着して保持するほか、図４（ｃ）に示したように被覆地２２の両縁部を縫着して保持してもよい。図４（ｃ）中、２５はミシン目である。
【００３２】
交編織物２４を面状の芯材２１とするには、交編織物２４を図５（ａ）に示したように、面方向に広がりを有する形態にして使用する。図５（ａ）に示したように一重であっても、複数枚かされた状態であってもよい。一重であるか、何枚重ねるかは、前記の線状の芯材の場合と同様に、熱融着糸２３の配置や割合等を考慮しつつ、所望する硬度等に応じて適宜設定される。
【００３３】
この芯材２１は、図５（ｂ）に示したように、適宜の編織物からなる被覆地２２によって両面が被覆される。この場合の被覆地２２も、例えば合成繊維製で、この合成繊維には熱融着糸２３の融点よりも高い融点を有するものを使用する。被覆地２２を被覆した状態は適宜の接着加工によって保持するとよい。
【００３４】
被覆地２２が被覆された芯材２１は、線状の芯材２１の場合も、面状の芯材２１の場合も、熱融着糸２３の融点以上で、かつ被覆地２２および交編織物２４の熱融着糸２３以外の部分（緯糸２４ｂ）の融点より低い温度による加熱と加圧によって前記保持形状が付与される。つまり、加熱によって熱融着糸２３が溶け、所望の保持形状に成形され、冷却によりその保持形状に保持されて、所望の保持形状に曲がった状態で形状が安定する。
【００３５】
図６は、芯材２１の被覆地２２側の一層と、これに接する被覆地２２の一層のみを示した模式図である。図６（ａ）は成形前、図６（ｂ）は成形後の状態を示している。図６の芯材２１は、図４（ａ），図５（ａ）の図示と同様に、経糸２４ａのみを熱融着糸２３としたものである。
【００３６】
成形を行うと熱融着糸２３は溶けて固まり、連結する部分同士で網目状に結合一体化する。熱融着糸２３の溶融固化によって、芯材２１は自身を前記保持形状に保ち、外力によって変位すれば固化した熱溶着糸２３の材料弾性と組織構成により弾性復帰を促す。
【００３７】
また溶けた熱融着糸２３は、被覆地２２における近傍の部分を部分的に結合して、被覆地２２との一体化をする。図中、２６は芯材２１と被覆地２２の接合部である。
【００３８】
熱溶着糸２２を有する芯材２１では経糸２４ａと緯糸２４ｂが結合されるものの、図６（ｂ）に示したように目を有し、この芯材２１は、熱融着糸２３を有しない被覆地２２で被覆されている構造となる。
【００３９】
線状の形状保持編織物１１の場合には成形後に、面状の形状保持編織物１２の場合には成形前に、所望の形状に裁断するのが望ましいが、裁断の工程は、それとは逆であってもよい。
【００４０】
このようにして得られた線状の形状保持編織物１１は、ブラジャー１３のカップ部分の下の所定部位に直接縫い付けて使用される。面状の形状保持編織物１２は、ブラジャー１３を構成する脇布として使用される。線状の形状保持編織物１１は袋状の収納部に保持してもよい。面状の形状保持編織物１２は適宜の生地に接合して使用することも可能である。
【００４１】
いずれの形状保持編織物１１，１２も被覆地２２で覆われており、被覆地２２の表側は熱融着しないので、肌に直接触れるように装着することができる。
【００４２】
このようにして使用される形状保持編織物では、次のような作用効果を有する。
【００４３】
加熱と加圧によって成形された芯材２１は所望の保持形状であり、この芯材２１を、被覆地２２が芯材２１と一体になって被覆する。芯材２１の形状は、芯材２１自体の形状保持力と、芯材２１に一体化した被覆地２２による形状保持力で保たれ、力が作用した場合に変形し、力が解除されれば弾性復帰する。
【００４４】
このような芯材２１と被覆地２２は、全体が溶融樹脂で構成されるのではなく、あくまでも編織物の状態であり、編織物としての組織と外観を有するので、前記のように直接縫い付けてブラジャー１３を製造できる。通気性も良好である。
【００４５】
形状保持編織物１１，１２は、シート状の編織物から構成されるので、従来の組紐から構成する場合と比較して、コストを抑えて、安価に提供することができる。
【００４６】
形状保持編織物１１，１２は直接縫着できるので、ブラジャー１３を構成する部品点数を低減でき、工数の低減も可能である。この点からも製造コストを抑えることができる。
【００４７】
そのうえ形状保持編織物１１，１２は、前記のように直接縫い付けて使用できるので、装着状態ではブラジャーとの一体性に優れ、装着時や装着中にねじれ等により歪が生じて人体の一部を不当に圧迫したりすることなどの不都合を回避できる。通気性もよいので装着感は、総じて良好である。
【００４８】
また、このブラジャー１３では、線状の形状保持編織物１１がバージスラインを保持し、それより下であって脇側の部分を面状の形状保持編織物１２（脇布１３ｂ）が保持するので、両者の協働により、装着中にバストが脇側へ流れるのを良好に防止して、フィット感の高い装着感を得られる。従来、脇布部分は脇布に縦に入れたワイヤで形状保持を行っていたが、装着中にバストが脇側へ流れるのを抑えることは困難であった。これに対して前記ブラジャー１３は、保持形状を有する面で接触するので、従来の形状保持構造の場合よりも、形状保持能力は高い。
【００４９】
以上の構成はこの発明を実施するための一形態の構成であって、この発明は前記構成に限定されるものではなく、その他の構成を採用することができる。
【００５０】
例えば、線状の形状保持編織物１１も面状の形状保持編織物１２も、ブラジャー１３における前記の部位以外に使用することができる。使用対象、取り付け対象は、ブラジャー１３のような下着のほか、例えばコルセットやサポーター、スカートの骨材など、その他の衣類等でもよい。
【符号の説明】
【００５１】
１１，１２…形状保持編織物
２１…芯材
２２…被覆地
２３…熱融着糸
２４…交編織物
２５…ミシン目
２６…接合部
【図１】
2014169515.tif 000003
【図２】
2014169515.tif 000004
【図３】
2014169515.tif 000005
【図４】
2014169515.tif 000006
【図５】
2014169515.tif 000007
【図６】
2014169515.tif 000008